(57)【要約】【課題】従来の化粧品収納容器あるいは化粧板は、模様が単純なものであり、面白味に欠けるものであった。さらに表面だけの印刷であるため、質感も平面的なものであるという課題があった。【解決手段】化粧品を収納した収納容器本体４と、この収納容器本体４の外面を着脱可能に覆う透明なプラスチック材による蓋５とから構成される化粧品収納容器１において、蓋５に覆われる部位の収納容器本体４の表面に有色インクで大小のドット６で模様７を印刷し、蓋４の外表面に成形あるいは透明なインクで印刷することによって形成された大小の凸のあるドット８で模様９を形成することによってモアレ模様効果を付加する全体模様１０を持つという手段を用いている。【選択図】        図１
2004181037.tif 000002
【特許請求の範囲】
【請求項１】
化粧品を収納した収納容器本体と、この収納容器本体の外面を着脱可能に覆う透明なプラスチック材による蓋とから構成される化粧品収納容器において、蓋に覆われる部位の収納容器本体の表面に有色インクで大小のドットで模様を印刷し、蓋の外表面に成形あるいは透明なインクで印刷することによって形成された大小の凸のあるドットで模様を形成することによってモアレ模様効果を付加した全体模様を持つことを特徴とする化粧品収納容器。
【請求項２】
プラスチック、硝子などの透明板の裏面に有色インクで大小のドットで模様を印刷し、表面に成形あるいは透明なインクで印刷することによって形成された大小の凸のあるドットで模様を形成することによってモアレ模様効果を付加した全体模様を持つことを特徴とする化粧板。
【請求項３】
プラスチック、硝子などの透明板の裏面に有色インクで大小のドットで模様を印刷し、その模様の上を別色の有色インクで覆うインク層の形成し、表面に成形あるいは透明なインクで印刷することによって形成された大小の凸のあるドットで模様を形成することによってモアレ模様効果を付加した全体模様を持つことを特徴とする化粧板。
【発明の詳細な説明】
【０００１】
【発明が属する技術分野】
本発明はモアレ模様効果を付加した全体模様を持つ化粧品収納容器あるいはモアレ模様効果を付加した全体模様を持つ化粧板に関するものである。
【０００２】
【従来の技術】
従来の化粧品収納容器あるいは化粧板は、その表面に印刷をすることでその模様を構成していた。
【０００３】
【発明が解決しようとする課題】
このように構成された従来の化粧品収納容器あるいは化粧板は、模様が単純なものになり、面白味に欠けるものであった。さらに表面だけの印刷であるため、質感も平面的なものであるという欠点があった。
【０００４】
本発明は以上のような従来の欠点に鑑み、モアレ模様効果を付加した全体模様とすることで、視点をわずかに移動しただけで全体模様が大きく動くように見える効果を持つ化粧品収納容器あるいは化粧板を提供することを目的としている。
【０００５】
【課題を解決するための手段】
上記課題を解決するため、本発明は化粧品を収納した収納容器本体と、この収納容器本体の外面を着脱可能に覆う透明なプラスチック材による蓋とから構成される化粧品収納容器において、蓋に覆われる部位の収納容器本体の表面に有色インクで大小のドットで模様を印刷し、蓋の外表面に成形あるいは透明なインクで印刷することによって形成された大小の凸のあるドットで模様を形成することによってモアレ模様効果を付加する全体模様を持つという手段を用いている。
【０００６】
あるいはプラスチック、硝子などの透明板の裏面に有色インクで大小のドットで模様を印刷し、表面に成形あるいは透明なインクで印刷することによって形成された大小の凸のあるドットで模様を形成することによってモアレ模様効果を付加し全体模様を持つという手段を用いている。
【０００７】
あるいはプラスチック、硝子などの透明板の裏面に有色インクで大小のドットで模様を印刷し、その模様の上を別色の有色インクで覆うインク層の形成し、表面に成形あるいは透明なインクで印刷することによって形成された大小の凸のあるドットで模様を形成することによってモアレ模様効果を付加した全体模様を持つという手段を用いている。
【０００８】
【発明の実施の形態】
モアレ模様効果を付加するという目的をプラスチック、硝子などの透明板の裏側あるいは裏面に有色インクで大小のドットで模様を印刷し、表面に成形あるいは透明なインクで印刷することによって形成された大小の凸のあるドットで模様を形成することによってモアレ模様効果を付加した全体模様を持つことで実現した。
【０００９】
【実施例】
以下、図面に示す実施例により本発明を詳細に説明する。
図１ないし図３に示す発明の第１の実施例において、１は化粧品収納容器で、本説明においてはこの化粧品収納容器１は口紅を収納する容器の場合で説明するが、この口紅を収納する化粧品収納容器１は、袴部材２と、袴部材２と回動させることなどにより内部に収納された口紅を出没可能にする円筒形状の内筒部材３とを中心として構成される周知の構造で収納容器本体４が形成されている。
【００１０】
５はこの収納容器本体４の外周面、なかでも内筒部材３の外周面を覆う透明なプラスチック材による円筒形状の蓋で、この蓋５は袴部材２に着脱可能に嵌合することができるものである。
【００１１】
６は蓋５に覆われる部位の収納容器本体４（本説明では内筒部材３）の表面に有色インクで印刷された多数の大小の点で、いわゆるドットであり、このドット６で内筒部材３の表面には模様７が描かれている。この印刷にはシルク印刷、オフセット印刷、インクジェットなどによる印刷あるいは転写などの方法が使用されるもので、図の説明ではドット６の形状は半球状としてあるがこれに限らず平面状あるいは凹凸のないものであっても差し支えない。
【００１２】
８は蓋５の外表面に成形あるいは透明なインクで印刷することによって形成された多数の大小の凸のある点で、いわゆる凸のあるドットであり、この凸のあるドット８で蓋の外表面には模様９が描かれている。この凸のあるドット８は印刷の場合はシルク印刷、インクジェットによる印刷などが使用される。成形の場合にはあらかじめ金型に模様９に対応するパターンが彫り込まれている。この凸のあるドット８の形状は半球状あるいは小山状に盛り上がったものが使用され、模様９のパターン、あるいはドット８の間隔は模様７と同じでも良いが多少変化させておいた方が効果がある。
【００１３】
このように構成された化粧品収納容器１は、蓋５を収納容器本体４に被せた際に凸のあるドット８によって光が屈折し、模様７と模様９の見え方が微妙に変化し、それによって化粧品収納容器１の外観に立体的なモアレを生じさせた全体模様１０とすることで、視点をわずかに移動しただけで全体模様１０が大きく動くように見える効果を作り出すことができる。さらに内筒部材３、蓋５とも円筒形状であるので、正面から縁に行くに従って全体模様１０の見え方も変化するので、より立体的となる。
【００１４】
なお、以上の説明では化粧品収納容器１として口紅を収納する容器の場合で説明を行ったが、他の化粧品収納容器、例えばスプレー、ローションなどのような物でも、収納容器本体４と、この収納容器本体４の外面を着脱可能に覆う透明なプラスチック材による蓋５とから構成されるものであれば何でも良い。
【００１５】
【発明の異なる実施例】
次に本発明の異なる実施例につき説明する。なお、これらの説明にあたって前記発明の第１の実施例と同一構成部分には同一符号を付して重複する説明を省略する。
【００１６】
図４に示す発明の第２の実施例において、前記発明の第１の実施例と主に異なる点は、プラスチック、硝子などの透明板１１の裏面に有色インクで大小のドットで模様９を印刷し、さらに透明板１１の表面に成形あるいは透明なインクで印刷することによって形成された大小の凸のあるドット８で模様７を形成した化粧板１２とした点である。このような化粧板１２にすることによっても、視点をわずかに移動しただけで全体模様が大きく動くように見える効果を作り出すことができる立体的なモアレ模様効果を付加した全体模様１０Ａを持つことができる。
【００１７】
このような化粧板１２はそれ自体でもモアレ模様効果を付加することができるが、化粧板は透明であるのでその背面にある他の模様、景観にモアレ模様効果を付加することができるものである。それによって、例えば化粧用コンパクト、携帯電話等の外装のようにそれ自体に模様がある物の上に化粧板１２セットするとより効果的に商品価値を高めることができ、さらに数々の異なった模様の化粧板１２を用意し、それらの化粧板１２を交換することで全体模様１０Ａの変化を楽しむこともできる。
【００１８】
図５に示す発明の第３の実施例において、前記発明の第２の実施例と主に異なる点は、透明板１１の裏面に有色インクで大小のドット６で模様を印刷し、その後でその模様６の上全体あるいは一部を別色の有色インクで覆うインク層１３を形成した点で、このような化粧板１２Ｂにすることによってもモアレ模様効果を付加する全体模様１０Ｂを持つことができる。
【００１９】
このインク層１３は全体が同一色でも良いが、多色で別模様を印刷したものであるとその別模様の上にモアレ模様効果を付加することができより効果的である。
【００２０】
図６に示す発明の第４の実施例において、前記発明の第２の実施例と主に異なる点は、透明板１１Ｃの表面に印刷ではなく成形によって大小の凸のあるドット８Ｃを形成し、それによって模様７を形成した化粧板１２Ｃとした点で、このようにして立体的なモアレ模様効果を付加した全体模様１０Ｃとしても良い。このように透明板を成形する際の金型にあらかじめ大小の凸のあるドット８Ｃが成形できるように模様９に対応するパターンを加工しておくことで、印刷をする手間を省くことができる。このように成形によって大小の凸のあるドット８Ｃを形成する手段は、発明の第１の実施例においても有効である。
【００２１】
【発明の効果】
本発明は以上説明したように構成されているので、以下に記載されるような効果を奏する。
【００２２】
以上のように構成された化粧品収納容器は、凸のあるドットによって光が屈折するため模様の見え方に変化が生じ、化粧品収納容器の外観に立体的なモアレを生じさせた全体模様とすることで、視点をわずかに移動しただけで全体模様が大きく動くように見える効果を作り出すことができることで、従来にない面白い化粧品収納容器とすることができる
【００２３】
化粧板とした場合には、背面にある他の模様、景観にモアレ模様効果を付加することができるとともに、他の物の上に化粧板セットすると従来にない立体的なモアレを生じさせた全体模様となるので、他の商品との差別化ができる。また化粧板を交換することで全体模様の変化を楽しむこともできる。
【図面の簡単な説明】
【図１】発明の説明図及び部分拡大図である。（実施例１）
【図２】発明の説明図及び部分拡大図である。（実施例１）
【図３】発明の全体模様の拡大図である。（実施例１）
【図４】発明の異なる実施例の説明図及び部分拡大図である。（実施例２）
【図５】発明の異なる実施例の説明図及び部分拡大図である。（実施例３）
【図６】発明の異なる実施例の説明図及び部分拡大図である。（実施例４）
【符号の説明】
１    化粧品収納容器
２    袴部材
３    内筒部材
４    収納容器本体
５    蓋
６    ドット
７    模様
８、８Ｃ    凸のあるドット
９    模様
１０、１０Ｂ、１０Ｂ、１０Ｃ  全体模様
１１、１１Ｃ  透明板
１２、１２Ａ、１２Ｃ  化粧板
１３  インク層
【図１】
2004181037.tif 000003
【図２】
2004181037.tif 000004
【図３】
2004181037.tif 000005
【図４】
2004181037.tif 000006
【図５】
2004181037.tif 000007
【図６】
2004181037.tif 000008